(57)【特許請求の範囲】
【請求項１】
魚釣りに用いる釣竿であって、
竿体と、
前記竿体周面に巻回されたグリップテープとを備え、
前記グリップテープはテープ層と前記テープ層裏面の幅方向中央付近に積層された弾性層とを有し、
前記グリップテープは前記竿体周面において軸方向に連続して螺旋状に巻回され、
前記竿体は竿元側端部内周面に雌ねじ部を有し、
前記グリップテープは前記竿体の竿元側端部から巻回されており、
前記グリップテープの竿元側の一部を覆うように穂先側に張り出したフランジを有する前記竿体の竿元側の雌ねじ部に脱着自在な尻栓をさらに備える、釣竿。
【発明の詳細な説明】
【０００１】
【発明の属する技術分野】
本発明は、魚釣りに用いる釣竿に関する。
【０００２】
【従来の技術】
従来の釣竿は、竿体と、竿体の竿元側に配置されリールを装着するためのリールシートと、リールシートの竿元側や穂先側の竿体周面に固定されたグリップとを有している。このグリップは、例えば、ポリウレタンやEVA等の弾性合成樹脂やコルク材等からなる略円筒型部材であって、竿体の所定の周面上に接着剤等で固定されたり、竿体に直接射出成型等されて固定されている。
【０００３】
そして、釣人はリールシートに取り付けたリールの脚部と共にリールシート及びグリップを把持してキャスティングやリトリーブ等の操作を行い、釣竿を把持する手が軸方向にずれたり周方向にずれたりするのを抑えつつ、魚を釣り上げる。
【０００４】
【発明が解決しようとする課題】
従来の釣竿においては、合成樹脂からなるテープ状部材を軸方向に連続して螺旋状に巻回し、グリップとしたものもある。このようなテープを巻回することで滑り止め作用を期待するものである。
【０００５】
しかし、従来用いられているテープは平坦なものである。このため、螺旋状に巻回した表面部分は平滑となり、この部分を把持した際の軸方向への滑り止め効果にも限界がある。テープ自体の素材を工夫したり、螺旋状に巻回するテープの一部を重複するようにして段差を設けることなども考えられるが、十分な滑り止め効果を奏するものとは言い難い。
【０００６】
本発明の課題は、滑り止め効果の高いグリップを有する釣竿を提供することにある。
【０００７】
【課題を解決するための手段】
発明１に係る釣竿は、魚釣りに用いる釣竿であって、竿体と、竿体周面に巻回されたグリップテープとを備えている。そして、このグリップテープはテープ層とテープ層裏面の幅方向中央付近に積層された弾性層とを有している。グリップテープは竿体周面において軸方向に連続して螺旋状に巻回されている。竿体は竿元側端部内周面に雌ねじ部を有し、グリップテープは竿体の竿元側端部から巻回されており、グリップテープの竿元側の一部を覆うように穂先側に張り出したフランジを有する竿体の竿元側の雌ねじ部に脱着自在な尻栓をさらに備えている。
【０００８】
この釣竿では、テープ層と弾性層との２層構造のグリップテープが竿体に巻回されると、弾性層の配置された部分が盛り上がりテープ表面に凹凸を形成する。
このようなグリップテープを、釣人が把持する所定の位置の竿体周面に順次巻回することで、軸方向に間隔を隔てて凹凸が形成されることになり、軸方向の滑り止め効果が向上する。
【０００９】
また、幅の異なるグリップテープを巻回することで、釣人は自らの好みに合わせたグリップ感覚を得ることもできる。また、長期にわたって使用され痛み出したグリップテープを交換することで、常に良好なグリップ感を維持することも可能である。
【００１０】
このように、螺旋状に連続してグリップテープを巻回することで、グリップテープの巻回が容易であると共に、軸方向に滑りにくいグリップを形成できる。
【００１２】
グリップテープを螺旋状に巻回する場合、その巻き初めと巻き終わりの部分である両端部からグリップテープが剥がれやすい。ここで、この釣竿では、グリップテープの竿元側端部を尻栓のフランジが覆い保護しているので、このようなグリップテープの剥がれを効果的に抑えられる。また、尻栓は竿体に対して脱着自在であり、グリップテープを交換する場合には、尻栓を外して容易にテープの剥離・巻回が可能である。
【００１３】
【発明の実施の形態】
以下、本発明の一実施形態について、図面を参照しつつ説明する。
本発明の一実施形態を採用した釣竿は、図１に示すように、元竿１と、その穂先側に順次連結された元上竿２，中竿３，穂先竿４とを有している。各竿体は、それぞれ炭素繊維等の強化繊維に合成樹脂を含浸させたプリプレグ材から構成された先細り筒状部材である。いわゆる振出形式で連結されており、穂先側の竿体は順次竿元側の竿体内に収納可能である。
【００１４】
元竿１は、リール（図示せず）を脱着自在に装着可能なリールシート５と、リールシート５の穂先側周面に配置される前グリップ６と、その穂先側の竿体周面に形成されリールからの釣糸を竿体内に導入可能な釣糸導入口７と、釣糸導入口７付近に配置される釣糸導入ガイド８と、リールシート５の竿元側の周面に配置される竿元グリップ部１０とを有している。また、元竿１の竿元側端部内周面には雌ねじ部が形成されており、ここに後述する尻栓１３が脱着自在に装着されている。一方、穂先竿４の穂先側先端にはトップガイド９が設けられている。そして、リールからの釣糸は釣糸導入ガイド８，釣糸導入口７から竿体内に導入され、順次穂先側に至りトップガイド９より外部に導出される。
【００１５】
図２に示すように、竿元グリップ部１０は、PVAやポリウレタン等の弾性合成樹脂やコルク材等からなる筒状部材を元竿１の周面に配置して固定した筒状グリップ１１と、その竿元側から元竿１の竿元側端部に配置されるグリップテープ１２とから構成されている。
【００１６】
グリップテープ１２は、図３に詳しく示すように、テープ層１５とテープ層１５の内側面の幅方向中央付近に配置され長手方向に連続して伸びて積層されている弾性層１６との２層構造である。テープ層１５はポリウレタン，塩化ビニル，その他合皮等から形成される薄手のテープ状部材である。一方の弾性層１６はテープ層１５に比べてより弾性の高い弾性体、例えば、ポリウレタン，ポリエステル，その他スポンジ状部材等からなる部材である。この弾性層１６がテープ層１５に接着剤等で貼り付けられた上で、これらテープ層１５・弾性層１６の内周面には接着剤が塗布されることになる。そして、このようなグリップテープ１２が軸方向に連続して螺旋状に元竿１の周面に巻回されている。
【００１７】
図４に示すように、尻栓１３は、元竿１の竿元側端部を塞ぐように装着される栓状部材である。元竿１の雌ねじ部分に螺合するねじ部分と頭部とからなる。そして、頭部の竿元側部分は周方向全体にわたって穂先側方向に張り出したフランジ１３ａとなっており、元竿１の竿元側端部まで巻回されるグリップテープ１２の端部の一部をこのフランジ１３ａが覆って保護している。
【００１８】
このように構成された釣竿では、テープ層１５と弾性層１６との２層構造のグリップテープ１２が元竿１に巻回されると、図３に示すように、弾性層１６の配置された部分が盛り上がりテープ表面に凹凸を形成する。これによって、図２に示すように、元竿１の軸方向において間隔を隔てながら凹凸が順次形成されることになり、グリップテープ１２を把持する際の軸方向の滑り止め効果が向上する。また、例えば、幅の異なる任意のグリップテープ１２を巻回することで、釣人は自らの好みに合わせたグリップ感覚を得ることもできる。
【００１９】
さらに、グリップテープ１２が剥がれやすい竿元側部分を尻栓１３のフランジ１３ａが覆い保護しているので、グリップテープ１２の剥がれを効果的に抑えられる。また、尻栓１３は元竿１に対して脱着自在であり、長期にわたって使用し傷んでしまったグリップテープ１２を交換する場合には、尻栓１３を外して容易にテープの剥離・巻回が可能であり、常に良好なグリップ感を維持することも可能である。
【００２０】
［他の実施形態］
（ａ）上記実施形態においては、竿元側に位置するグリップに関してグリップテープを用いているが、図５に示すように、前グリップをグリップテープ２０で形成してもよい。この際、グリップテープ２０は螺旋状ではなく周方向に一巻毎に順次巻回してもよい。このように前グリップをグリップテープ２０で形成し、この部分を把持する際の滑り止め効果を高めることによって、円滑な釣り操作を行うことが可能となる。
【００２１】
さらに、元竿１のグリップテープ２０の巻回位置の前後端両側にそれぞれねじ山を形成し、ナット２１，２２を配置するのもよい。このナット２１，２２にはそれぞれ竿元側，穂先側に張り出すフランジを形成し、このフランジでグリップテープ２０の端部を覆うようにしてもよい。
【００２２】
また、グリップテープ２０の両端部は別途ビニルテープ等の部材によって部分的補助的に巻回してその部分を補強してもよい。
（ｂ）グリップテープは単一のものを巻回するのみではなく、幅の異なる複数のグリップテープを任意に巻回してもよい。
【００２３】
【発明の効果】
本発明によれば、滑り止め効果の高いグリップを有する釣竿を得ることができる。
【図面の簡単な説明】
【図１】本発明の一実施形態を採用した釣竿の全体図。
【図２】図１の竿元グリップ部１０付近の拡大図。
【図３】図２のIII−III断面図。
【図４】図１の尻栓１３付近の拡大断面図。
【図５】本発明の他の実施形態を採用した釣竿の前グリップ付近の図。
【符号の説明】
１  元竿
１０  竿元グリップ部
１２，２０  グリップテープ
１３  尻栓
１５  テープ層
１６  弾性層
【図１】
0004502299.tif 000002
【図２】
0004502299.tif 000003
【図３】
0004502299.tif 000004
【図４】
0004502299.tif 000005
【図５】
0004502299.tif 000006